(57)【特許請求の範囲】
【請求項１】
漢字に関する問題を記録した問題データベースから問題を抽出し、抽出した問題を出題する出題装置において、
画像を表示する表示手段と、
該表示手段に表示された画像上の位置の指示に基づいて、文字の入力を受け付ける入力手段と、
該入力手段にて指示された画像上の位置の軌跡と変換候補となる漢字との類似度に基づいて、受け付けた文字を漢字に変換する変換手段と、
変換された漢字及び変換に係る類似度を対応付けて記録する記録手段と、
該記録手段に記録されている漢字及び該漢字に対応付けられた類似度に基づいて、前記問題データベースから問題を抽出する抽出手段と
を備えることを特徴とする出題装置。
【請求項２】
夫々関連する漢字を対応付けて記録する関連漢字データベースを更に備え、
前記抽出手段は、前記記録手段に記録されている漢字及び該漢字に対応付けられた類似度に基づいて、前記問題データベースから問題を抽出し、更に前記記録手段に記録されている漢字に対応付けて関連漢字データベースに記録されている漢字に基づいて、問題を抽出する様にしてある
ことを特徴とする請求項１に記載の出題装置。
【請求項３】
前記入力手段による位置の指示の開始から変換の完了までの時間を計測する計時手段を更に備え、
前記記録手段は、前記変換手段が変換した漢字に対応付けて、計測した時間を記録する様に構成してあり、
前記抽出手段は、漢字及び該漢字に対応付けられた時間に基づいて、問題を抽出する様にしてあることを特徴とする請求項１又は請求項２に記載の出題装置。
【請求項４】
画像を表示する表示手段と、該表示手段に表示された画像上の位置の指示に基づいて、文字の入力を受け付ける入力手段と、漢字を記録する記録手段と、漢字に関する問題を記録した問題データベースとを備えるコンピュータに、問題データベースから問題を抽出させ、抽出した問題を出題させるコンピュータプログラムにおいて、
コンピュータに、
前記入力手段にて指示された画像上の位置の軌跡と変換候補となる漢字との類似度に基づいて、受け付けた文字を漢字に変換する変換手段にて変換された漢字と、変換に係る類似度とを対応付けて前記記録手段に記録させる手順と、
前記記録手段に記録させた漢字及び該漢字に対応付けられた類似度に基づいて、前記問題データベースから問題を抽出させる手順と
を実行させることを特徴とするコンピュータプログラム。
【発明の詳細な説明】
【技術分野】
【０００１】
本発明は、漢字に関する問題を記録した問題データベースから問題を抽出し、抽出した問題を出題する出題装置、及び該出題装置を実現するコンピュータプログラムに関し、特に実用的な漢字を学習することが可能な出題装置及びコンピュータプログラムに関する。
【背景技術】
【０００２】
漢字の学習を支援するための様々な装置が市販され、広く普及している。例えば特許文献１には、過去の試験結果から問題の難易度を特定し、レベルにあった漢字を出題する電子式学習機が開示されている。また統計的に見て間違え易い漢字を重点的に出題する等、様々な出題方法が提案されている。
【特許文献１】特開昭６３−１３７２８９号公報
【発明の開示】
【発明が解決しようとする課題】
【０００３】
しかしながら特許文献１に開示されている装置等の従来の出題装置は、単に漢字の知識を増やすことを目的としたものであり、ユーザにとって実用性の高い漢字を学習することはできないという問題がある。
【０００４】
本発明は斯かる事情に鑑みてなされたものであり、ユーザが入力した漢字を記録し、記録した漢字に基づいて、出題する問題を抽出することにより、ユーザにとって実用性の高い漢字を優先的に学習することが可能な出題装置、及び該出題装置を実現するためのコンピュータプログラムの提供を目的とする。
【課題を解決するための手段】
【０００５】
本願は、漢字に関する問題を記録した問題データベースから問題を抽出し、抽出した問題を出題する出題装置において、画像を表示する表示手段と、該表示手段に表示された画像上の位置の指示に基づいて、文字の入力を受け付ける入力手段と、該入力手段にて指示された画像上の位置の軌跡と変換候補となる漢字との類似度に基づいて、受け付けた文字を漢字に変換する変換手段と、変換された漢字及び変換に係る類似度を対応付けて記録する記録手段と、該記録手段に記録されている漢字及び該漢字に対応付けられた類似度に基づいて、前記問題データベースから問題を抽出する抽出手段とを備える出題装置を開示する。
【０００６】
本願は、夫々関連する漢字を対応付けて記録する関連漢字データベースを更に備え、前記抽出手段は、前記記録手段に記録されている漢字及び該漢字に対応付けられた類似度に基づいて、前記問題データベースから問題を抽出し、更に前記記録手段に記録されている漢字に対応付けて関連漢字データベースに記録されている漢字に基づいて、問題を抽出する様にしてある出題装置を開示する。
【０００９】
本願は、前記入力手段による位置の指示の開始から変換の完了までの時間を計測する計時手段を更に備え、前記記録手段は、前記変換手段が変換した漢字に対応付けて、計測した時間を記録する様に構成してあり、前記抽出手段は、漢字及び該漢字に対応付けられた時間に基づいて、問題を抽出する様にしてある出題装置を開示する。
【００１０】
本願は、画像を表示する表示手段と、該表示手段に表示された画像上の位置の指示に基づいて、文字の入力を受け付ける入力手段と、漢字を記録する記録手段と、漢字に関する問題を記録した問題データベースとを備えるコンピュータに、問題データベースから問題を抽出させ、抽出した問題を出題させるコンピュータプログラムにおいて、コンピュータに、前記入力手段にて指示された画像上の位置の軌跡と変換候補となる漢字との類似度に基づいて、受け付けた文字を漢字に変換する変換手段にて変換された漢字と、変換に係る類似度とを対応付けて前記記録手段に記録させる手順と、前記記録手段に記録させた漢字及び該漢字に対応付けられた類似度に基づいて、前記問題データベースから問題を抽出させる手順とを実行させるコンピュータプログラムを開示する。
【００１１】
本願では、ユーザが入力した漢字に基づく出題を行うので、例えばユーザが実際に使用している漢字を中心に出題することができ、ユーザにとって実用性に高い漢字を優先的に学習することが可能である。
【００１２】
本願では、ユーザが実際に入力した漢字だけでなく、入力した漢字に関連する漢字に基づく漢字に関する問題をも出題することが可能である。
【００１３】
本願では、マウス等の入力手段を用いた手書き入力機能等の機能により入力した漢字に基づいて出題することも可能である。
【００１４】
本願では、手書き認識機能を用いた漢字入力に際し、類似度が低い漢字が入力された場合、その漢字についての記憶が曖昧である可能性が高いと見なし、例えば類似度に基づいて抽出する頻度を調整することにより、うろ覚えの漢字を重点的に出題することが可能である。
【００１５】
本願では、手書き認識機能を用いた漢字入力に際し、入力に時間を要する漢字は、その漢字についての記憶が曖昧である可能性が高いと見なし、例えば類似度に基づいて抽出する頻度を調整することにより、うろ覚えの漢字を重点的に出題することが可能である。
【発明の効果】
【００１６】
本願は、例えばかな漢字変換機能等の機能を用いてユーザが入力した漢字を記録手段に記録し、記録した漢字に基づいて、例えば記録した漢字を含む単漢字、熟語、文等の問題を優先的に出題することにより、例えばユーザが実際に使用している漢字を中心に出題することができ、ユーザにとって実用性の高い漢字を優先的に学習することが可能である等、優れた効果を奏する。
【００１７】
本願は、読み方が同じ漢字、形状が類似した漢字等の関連漢字に基づく出題を行うことにより、ユーザが実際に入力した漢字だけでなく、入力した漢字に関連する間違い易い漢字等の漢字に基づく問題をも出力することが可能である等、優れた効果を奏する。
【００１８】
本願は、マウス等の入力手段にて指示した軌跡を漢字に変換する手書き入力機能等の機能により入力した漢字に基づいて出題することも可能である等、優れた効果を奏する。
【００１９】
本願は、手書き入力機能等の機能を用いて入力した漢字の類似度又は変換までに要した時間に基づいて、出題する問題を選択することにより、類似度が低い漢字、入力に時間を要する漢字は、その漢字についての記憶が曖昧である可能性が高いと見なし、例えば類似度、時間に基づいて抽出する頻度を調整することにより、うろ覚えの漢字を重点的に出題することが可能である等、優れた効果を奏する。
【発明を実施するための最良の形態】
【００２０】
以下、本発明をその実施の形態を示す図面に基づいて詳述する。図１は、本発明の出題装置のハードウェア構成を示すブロック図である。図１中１は、パーソナルコンピュータ等のコンピュータを用いた本発明の出題装置である。出題装置１は、装置全体を制御するＣＰＵ等の制御部１０と、本発明のコンピュータプログラム１００及びデータ等の各種情報を記録したＣＤ−ＲＯＭ等の記録媒体から各種情報を読み取るＣＤ−ＲＯＭドライブ等の補助記憶部１１と、補助記憶部１１により読み取った各種情報を記録するハードディスク等の記録部１２と、情報を一時的に記憶するＲＡＭ等の記憶部１３とを備えている。そして記録部１２に記録したコンピュータプログラム１００を記憶部１３に記憶させ、制御部１０の制御にて実行することにより、コンピュータは、本発明の出題装置１として動作する。なお出題装置１には、本発明のコンピュータプログラム１００だけでなく、ワードプロセッサ用ソフトウェア、メール送受信用ソフトウェア等の様々なプログラムが記録されている。
【００２１】
さらに出題装置１は、時間及び時刻を計測する計時部１４と、画像を表示するモニタ等の表示部１５と、キーボード等の第１入力部１６と、表示部１５に表示された画像上の位置を指示する第２入力部１７とを備えている。
【００２２】
図２は、本発明の出題装置１の機能を示す機能ブロック図である。本発明の出題装置１は、本発明のコンピュータプログラム１００等の各種コンピュータプログラムを制御部１０にて実行することにより、制御部１０を、かな漢字変換手段１０ａ、手書き文字認識手段１０ｂ、変換漢字記録手段１０ｃ、問題生成手段１０ｄ、出題手段１０ｅ、正誤判定手段１０ｆ等の各種プログラムモジュールとして機能させる。かな漢字変換手段１０ａは、漢字変換に関する変換辞書を有し、変換辞書を参照して第１入力部１６から入力された「かな」を「漢字」に変換する機能を有する。手書き文字認識手段１０ｂは、第２入力部１７にて指示された表示部１５の画像上の位置の軌跡を「漢字」に変換する機能を有する。変換漢字記録手段１０ｃは、かな漢字変換手段１０ａ及び手書き文字認識手段１０ｂにて変換された漢字に関する情報を記録部１２に記録する機能を有する。問題生成手段１０ｄは、出題する問題を生成する機能を有する。出題手段１０ｅは、問題生成手段１０ｄが生成した問題を出題する機能を有する。正誤判定手段１０ｆは、出題した問題に対する回答の正誤判定を行う機能を有する。
【００２３】
また本発明の出題装置１は、本発明のコンピュータプログラム１００等の各種コンピュータプログラムを制御部１０にて実行することにより、記録部１２の記録領域に、変換漢字データベース（変換漢字ＤＢ）１２ａ、関連漢字データベース（関連漢字ＤＢ）１２ｂ、問題データベース（問題ＤＢ）１２ｃ等の各種データベースを生成し、記録部１２の記録領域の一部を各種データベースとして用いる。変換漢字データベース１２ａは、変換漢字記録手段１０ｃによる漢字に関する情報を記録するデータベースである。関連漢字データベース１２ｂは、読み方が同じ漢字、形状が類似した漢字等の一群の漢字を関連する漢字として記録するデータベースである。問題データベース１２ｃは、出題の候補となる問題を記録しているデータベースであり、単漢字に関する問題、熟語に関する問題、漢字を含む文に関する問題等の漢字に関する様々な問題を記録している。
【００２４】
図３は、本発明の出題装置１が備える変換漢字データベース１２ａの記録内容を概念的に示す説明図である。変換漢字データベース１２ａには、漢字、読み方、変換時期、変換頻度、類似度、変換時間等の項目毎の各種情報がレコードとして記録されている。漢字の項目には、「点」等の単漢字、「今日」等の熟語が記録されている。なお単漢字には、「良」の訓読みである「良い」の語幹部分「良」等の様に語尾を伴って用いられる漢字も含まれる。読み方の項目には、「てん」、「きょう」等の読み方が記録されており、また訓読みである「良」に対しては、語幹の読み方である「よ」が記録されている。漢字の項目及び読み方の項目を組み合わせることにより、同じ漢字でも、音読み、訓読み等の読み方によって異なる漢字として扱うことが可能である。また単漢字である「今」及び熟語である「今日」等の漢字も異なる漢字として取り扱うことが可能である。変換時期の項目には、かな漢字変換手段１０ａ又は手書き文字認識手段１０ｂにて最後に変換された日時が記録されている。変換頻度の項目には、かな漢字変換手段１０ａ又は手書き文字認識手段１０ｂにより変換された回数、又は直近の所定期間、例えば３ヶ月の間に変換された回数が記録されている。類似度の項目には、手書き文字認識手段１０ｂによる漢字変換を行った場合に、入力された軌跡と、変換後の漢字との類似度を示す情報が記録されている。変換時間の項目には、手書き文字認識手段１０ｂによる漢字変換を行った場合に、第２入力部１７による位置の指示の開始、即ち書き始めから変換の完了までの時間が記録されている。
【００２５】
図４は、本発明の出題装置１が備える関連漢字データベース１２ｂの記録内容を概念的に示す説明図である。関連漢字データベース１２ｂは、夫々関連する漢字を一群の漢字として関連付けたグループをレコード単位で記録するデータベースである。図４（ａ）は、読み方が同じ同音漢字のグループを示している。例えば「朝」、「麻」、「浅」等の漢字は、「あさ」という同じ読み方で関連付けられる一群の漢字である。図４（ｂ）は、形状が類似した類似漢字のグループを示している。例えば「目」、「日」、「田」は、形状が類似しているとして関連付けられる一群の漢字である。
【００２６】
図５は、本発明の出題装置１が備える問題データベース１２ｃの記録内容を概念的に示す説明図である。問題データベース１２ｃには、問題、種類、難易度、出題確率等の項目毎の各種情報がレコード単位で記録されている。問題の項目には、単漢字に関する問題、熟語に関する問題、漢字を含む文に関する問題等の漢字に関する様々な問題が記録されている。種類の項目には、「読み方」の問題、「書き方」の問題、漢字の意味等の解答を選択肢の中から選択させる「選択問題」等の問題の出題形式が記録されている。難易度の項目には、「２級」、「３級」等の難易度を示す情報が記録されている。出題確率の項目には、出題する問題として選択される確率を示す情報が記録されている。
【００２７】
次に本発明の出題装置１の処理について説明する。図６は、本発明の出題装置１の漢字記録第１処理を示すフローチャートである。漢字記録第１処理とは、かな漢字変換手段１０ａにて変換された漢字を記録する処理である。出題装置１は、コンピュータプログラム１００を実行する制御部１０の制御に基づいて、第１入力部１６から、かなとして入力される文字の入力を受け付け（Ｓ１０１）、かな漢字変換手段１０ａにより、受け付けた文字を漢字に変換する（Ｓ１０２）。ステップＳ１０１〜Ｓ１０２の処理は、かな漢字変換手段１０ａが起動している状態であれば、出題装置１に記録されているワードプロセッサ用ソフトウェア、メール送受信用ソフトウェア等の日本語による文字の入力が可能な様々なプログラムと連動して実行される。ステップＳ１０１のかなとして入力される文字とは、かなそのものの入力だけでなく、ローマ字変換により、かなとして入力される文字をも含むことを示す。またステップＳ１０２の変換とは、変換候補の中から変換後の漢字が選択され、確定された状態を示している。
【００２８】
そして出題装置１は、制御部１０の制御に基づく変換漢字記録手段１０ｃの処理により、ステップＳ１０２にて、かな漢字変換手段１０ａが変換した漢字を変換漢字データベース１２ａに記録する（Ｓ１０３）。ステップＳ１０３では、変換確定後の漢字、即ち単漢字又は熟語を変換漢字データベース１２ａに記録し、また記録する単漢字又は熟語に関連する読み方、変換時期、変換頻度等の情報も記録する。変換時期は、変換が完了した時点で計時部１４が示す日時を用いる。ステップＳ１０３において、出題装置１は、記録する単漢字又は熟語と同様の漢字が既に変換漢字データベース１２ａに記録されているか否かを検出し、記録されていないことを検出した場合、新たなレコードとして変換漢字データベース１２ａに記録し、既に記録されていることを検出した場合、該当する漢字が記録されているレコードの変換時期及び変換頻度を更新する。なおステップＳ１０３の記録に際し、問題データベース１２ｃを参照して、記録すべき漢字又は熟語の難易度が、所定の難易度より易しい場合、記録の対象から除外する様にしても良い。「一」、「上」等の変換頻度は高いが、難易度が低い漢字を出題の対象から除外するためである。
【００２９】
ステップＳ１０３の処理について更に詳述する。ステップＳ１０２にて変換した漢字が単漢字又は熟語である場合、出題装置１は、ステップＳ１０３の処理として、変換後の漢字及び熟語並びにそれらに関する情報を変換漢字データベース１２ａに記録する。ステップＳ１０２にて、かな漢字変換手段１０ａの文変換機能により「きょうはよいてんきだ。」として入力された文字を「今日は良い天気だ。」等の漢字を含む文として変換した場合、出題装置１は、ステップＳ１０３の処理として、変換前の文「きょうはよいてんきだ。」及び変換後の文「今日は良い天気だ。」を比較し、かな漢字変換手段１０ａの変換辞書又は変換時の処理を参照して、「［今日／きょう］は、［良／よ］い［天気／てんき］だ。」という様に、単漢字又は熟語に対して、かなとの対応付けを行う。このとき「は」、「が」等の漢字を含まない文字、「い」等の語尾（送りがな）、「。」等の句読点を含む各種記号については、対応付けの対象外となる。そして出題装置１は、ステップＳ１０３の処理として、対応付けた処理の結果である「［今日／きょう］は、［良／よ］い［天気／てんき］だ。」というデータに基づいて、単漢字又は熟語と、対応付けられた読み方と、変換時期、変換頻度等の情報とを変換漢字データベース１２ａに記録する。この様にして漢字記録第１処理が実行される。
【００３０】
図７は、本発明の出題装置１の漢字記録第２処理を示すフローチャートである。漢字記録第２処理とは、手書き文字認識手段１０ｂにて変換された漢字を記録する処理である。出題装置１は、コンピュータプログラム１００を実行する制御部１０の制御に基づいて、第２入力部１７からの入力を受け付け（Ｓ２０１）、手書き文字認識手段１０ｂにより、受け付けた入力内容を漢字に変換する（Ｓ２０２）。ステップＳ２０１〜Ｓ２０２の処理は、手書き文字認識手段１０ｂが起動している状態であれば、出題装置１に記録されているワードプロセッサ用ソフトウェア、メール送受信用ソフトウェア等の日本語による文字の入力が可能な様々なプログラムと連動して実行される。ステップＳ２０１における第２入力部１７からの入力とは、表示部１５に表示された手書きパレット等の画像上の任意の位置を指示し、更に指示している位置を移動させる入力であり、ステップＳ２０２では、第２入力部１７にて指示された画像上の位置の軌跡と、変換候補となる漢字の形状との類似度を求め、類似度が所定値以上である漢字を変換候補として表示部１５に表示し、変換候補の中から変換後の漢字が選択され確定されることにより、変換処理が行われる。
【００３１】
そして出題装置１は、制御部１０の制御に基づく変換漢字記録手段１０ｃの処理により、ステップＳ２０２にて、手書き文字認識手段１０ｂが変換した漢字を変換漢字データベース１２ａに記録する（Ｓ２０３）。ステップＳ２０３では、変換確定後の漢字を変換漢字データベース１２ａに記録し、また記録する漢字に関連する読み方、変換時期、変換頻度、類似度、変換時間等の情報も記録する。類似度とは、軌跡と、確定された漢字との類似度である。変換時間とは、第２入力部１７による位置の指示の開始から確定までに要した時間であり、計時部１４にて計測される。なお読み方の項目には、かな漢字変換手段１０ａが有する変換辞書に示されている代表的な読み方が記録されるが空欄としても良い。この様にして漢字記録第２処理が実行される。
【００３２】
上述した漢字記録第１処理及び漢字記録第２処理は、かな漢字変換手段１０ａ及び手書き文字認識手段１０ｂによる変換処理を、本願の出題機能と連動させる処理であり、切替ボタンの押下、メニュー選択、アイコンの指示等の所定の操作をユーザが行うことにより、実行の開始又は停止を行う。
【００３３】
また漢字記録第１処理及び漢字記録第２処理において、変換漢字データベース１２ａに記録している漢字に関するレコードが所定数以上となった場合、変換時期及び変換頻度に基づいて、例えば変換時期が古いレコードから順に、削除する様にしても良い。
【００３４】
図８は、本発明の出題装置１の出題処理を示すフローチャートである。出題処理とは、ユーザの操作により、漢字に関する問題を出題する機能の実行が指定された場合に、問題生成手段１０ｄ、出題手段１０ｅ等のプログラムモジュールが機能して漢字に関する問題を出題する処理である。出題装置１は、コンピュータプログラム１００を実行する制御部１０の制御に基づいて、問題生成手段１０ｄにより、変換漢字データベース１２ａに記録されている漢字、即ち単漢字及び熟語を抽出し（Ｓ３０１）、更に抽出した漢字に関連する関連漢字を関連漢字データベース１２ｂから抽出する（Ｓ３０２）。ステップＳ３０２は、ステップＳ３０１にて抽出された漢字、特に単漢字を含むグループを示すレコードが関連漢字データベース１２ｂに記録されているか否かを判定し、記録されていると判定した場合、そのレコードに含まれる一群の漢字を関連漢字として抽出する処理である。ステップＳ３０１にて抽出した漢字だけでなく、ステップＳ３０２にて関連漢字を抽出することにより、出題する漢字の幅を広げることが可能になる。
【００３５】
出題装置１は、制御部１０の制御に基づく問題生成手段１０ｄの処理により、ステップＳ３０１にて抽出した漢字及びステップＳ３０２にて抽出した関連漢字に基づいて、問題データベース１２ｃから問題を抽出する（Ｓ３０３）。ステップＳ３０３において、出題装置１は、問題データベース１２ｃに記録されている複数の問題の中から例えば乱数を用いて出題確率に応じて選択した問題を抽出する。なお記録されている問題の中で、ステップＳ３０１にて抽出した漢字及びステップＳ３０２にて抽出した関連漢字を含む問題に対しては、出題確率を高くする確率変更処理が前処理として実行される。確率変更処理を実行することにより、ステップＳ３０１にて抽出した漢字又はステップＳ３０２にて抽出した関連漢字を含む問題を、これらを含まない問題より優先して抽出することになる。また変換漢字データベース１２ａに記録されている類似度に基づいて出題確率を変更した上で問題を抽出する様にしても良い。即ち類似度が低い漢字は、その漢字についての記憶が曖昧であると判断して出題確率を高めることにより、うろ覚えの漢字を重点的に出題することが可能となる。さらに変換漢字データベース１２ａに記録されている変換時間に基づいて出題確率を変更した上で問題を抽出する様にしても良い。即ち入力に時間を要した漢字は、その漢字についての記憶が曖昧であると判断して出現確率を高めることにより、うろ覚えの漢字を重点的に出題することが可能となる。その他、変換時期、変換頻度等に応じて出題確率を変更する様にしても良く、また漢字記録第１処理により記録した漢字に基づいて「書き方」の問題を抽出し、漢字記録第２処理により記録した漢字に基づいて「読み方」の問題を抽出する等、適宜設定することが可能である。更には一般的に間違いやすいとされている漢字の優先的な抽出、過去に誤答している漢字の優先的な抽出等の既存の技術の方法を併用することも可能である。
【００３６】
そして出題装置１は、制御部１０の制御に基づく問題生成手段１０ｄの処理により、抽出した問題に基づいて出題する問題を生成し（Ｓ３０４）、出題手段１０ｅの処理により、生成した問題を出題する（Ｓ３０５）。ステップＳ３０５の出題は、生成した問題を表示部１５に表示することにより実行される。この様にして出題処理が実行される。
【００３７】
図９は、本発明の出題装置１の解答受付及び判定処理を示すフローチャートである。解答受付及び判定処理とは、出題処理により出題した問題に対する解答を受け付け、受け付けた解答の正誤を判定する処理である。出題装置１は、コンピュータプログラム１００を実行する制御部１０の制御に基づく正誤判定手段１０ｆの処理により、出題した問題に対する解答を、第１入力部１６及び／又は第２入力部１７から受け付け（Ｓ４０１）、受け付けた解答の正誤を判定し（Ｓ４０２）、正誤の判定の結果を表示部１５に表示する（Ｓ４０３）。ステップＳ４０１の受付は、出題内容及び形式に応じて、第１入力部１６からのかな入力、第２入力部１７からの指示位置の軌跡の入力等の入力を受け付ける適切な方法で実行される。なお出題内容及び形式に応じて解答を受け付ける処理は、既に公開又は実施されている公知技術を用いた処理を転用することで実行される。この様にして解答受付及び判定処理が実行される。
【００３８】
前記実施の形態は、無数にある本発明の実施の形態の一部を示したものであり、本発明はこれに限らず、漢字変換の内容を出題に反映させる様々な方法に展開することが可能である。また前記実施の形態に示した様に、スタンドアローンとして起動する単独のコンピュータを出題装置として用いるのではなく、一又は複数のクライアントマシンからアクセス可能なサーバマシンにて本発明のコンピュータプログラムを実行し、複数のユーザの変換結果に基づいて出題する等、様々な形態に展開することが可能である。
【００３９】
以上の実施の形態に関し、更に以下の付記を開示する。
【００４０】
（付記１）
漢字に関する問題を記録した問題データベースから問題を抽出し、抽出した問題を出題する出題装置において、
文字の入力を受け付ける入力手段と、
受け付けた文字を漢字に変換する変換手段と、
変換された漢字を記録する記録手段と、
該記録手段に記録されている漢字に基づいて、前記問題データベースから問題を抽出する抽出手段と
を備えることを特徴とする出題装置。
【００４１】
（付記２）
前記抽出手段は、前記記録手段に記録されている漢字を含む問題を、記録されている漢字を含まない問題より優先して抽出する様にしてあることを特徴とする付記１に記載の出題装置。
【００４２】
（付記３）
前記問題データベースは、漢字に関する問題として、単漢字に関する問題、熟語に関する問題及び漢字を含む文に関する問題の少なくとも一つを記録していることを特徴とする付記１又は付記２に記載の出題装置。
【００４３】
（付記４）
夫々関連する漢字を対応付けて記録する関連漢字データベースを更に備え、
前記抽出手段は、前記記録手段に記録されている漢字に対応付けて関連漢字データベースに記録されている漢字に基づいて、問題を抽出する様にしてある
ことを特徴とする付記１乃至付記３のいずれかに記載の出題装置。
【００４４】
（付記５）
前記関連漢字データベースは、読み方が同じ漢字及び／又は形状が類似した漢字を関連する漢字として記録していることを特徴とする付記４に記載の出題装置。
【００４５】
（付記６）
画像を表示する表示手段を更に備え、
前記入力手段は、前記表示手段に表示された画像上の位置を指示する様にしてあり、
前記変換手段は、前記入力手段にて指示された画像上の位置の軌跡と変換候補となる漢字との類似度に基づいて変換する様にしてある
ことを特徴とする付記１乃至付記５のいずれかに記載の出題装置。
【００４６】
（付記７）
前記記録手段は、漢字に対応付けて、変換に係る類似度を記録する様に構成してあり、
前記抽出手段は、漢字及び該漢字に対応付けられた類似度に基づいて、問題を抽出する様にしてあることを特徴とする付記６に記載の出題装置。
【００４７】
（付記８）
前記入力手段による位置の指示の開始から変換の完了までの時間を計測する計時手段を更に備え、
前記記録手段は、前記変換手段が変換した漢字に対応付けて、計測した時間を記録する様に構成してあり、
前記抽出手段は、漢字及び該漢字に対応付けられた時間に基づいて、問題を抽出する様にしてあることを特徴とする付記６又は付記７に記載の出題装置。
【００４８】
（付記９）
入力を受け付ける入力手段と、漢字に関する問題を記録した問題データベースとを備えるコンピュータに、問題データベースから問題を抽出させ、抽出した問題を出題させるコンピュータプログラムにおいて、
コンピュータに、
前記入力手段が受け付けた文字を漢字に変換する変換手段にて変換された漢字を記録させる手順と、
記録させた漢字に基づいて、前記問題データベースから問題を抽出させる手順と
を実行させることを特徴とするコンピュータプログラム。
【図面の簡単な説明】
【００４９】
【図１】本発明の出題装置のハードウェア構成を示すブロック図である。
【図２】本発明の出題装置の機能を示す機能ブロック図である。
【図３】本発明の出題装置が備える変換漢字データベースの記録内容を概念的に示す説明図である。
【図４】本発明の出題装置が備える関連漢字データベースの記録内容を概念的に示す説明図である。
【図５】本発明の出題装置が備える問題データベースの記録内容を概念的に示す説明図である。
【図６】本発明の出題装置の漢字記録第１処理を示すフローチャートである。
【図７】本発明の出題装置の漢字記録第２処理を示すフローチャートである。
【図８】本発明の出題装置の出題処理を示すフローチャートである。
【図９】本発明の出題装置の解答受付及び判定処理を示すフローチャートである。
【符号の説明】
【００５０】
１  出題装置
１０  制御部
１１  補助記憶部
１２  記録部
１３  記憶部
１４  計時部
１５  表示部
１６  第１入力部
１７  第２入力部
１０ａ  かな漢字変換手段
１０ｂ  手書き文字認識手段
１０ｃ  変換漢字記録手段
１０ｄ  問題生成手段
１０ｅ  出題手段
１０ｆ  正誤判定手段
１２ａ  変換漢字データベース
１２ｂ  関連漢字データベース
１２ｃ  問題データベース
【図１】
0005029301.tif 000002
【図２】
0005029301.tif 000003
【図３】
0005029301.tif 000004
【図４】
0005029301.tif 000005
【図５】
0005029301.tif 000006
【図６】
0005029301.tif 000007
【図７】
0005029301.tif 000008
【図８】
0005029301.tif 000009
【図９】
0005029301.tif 000010